(57)【特許請求の範囲】
【請求項１】
浮力を有する複数の浮き材を並べて互いに相対動可能に接続して筏体を形成し、この筏体には、上下に水の通過を許容する空隙を設けるとともに、水域の、流水が落下する段差部に筏体上流端部を接続して筏体の上面に落下水流を流入させる水域の落下水音・落下水流を減衰させる構造であって、上記筏体の下流側端部とこの下流側端部より下流側の水域底部との間を結び筏体下流側端部の自由な上下動を抑制する拘束手段を設けたことを特徴とする水域の落下水音・落下水流減衰構造。
【請求項２】
筏体の上流端側下に、この上流端側の形状を保持して筏体の上下動の動きを抑制する変動抑制手段を設けた特徴とする請求項１に記載の水域の落下水音・落下水流減衰構造。
【請求項３】
拘束手段は、一端が筏体の下流側端部に連結され、他端が水域底部に固定され、張力を保持する索条を備えて構成されることを特徴とする請求項１または２に記載の水域の落下水音・落下水流減衰構造。
【請求項４】
変動抑制手段は、一端が筏体の上流側端部に接続され、他端が筏体の上流側端部より下流側で、かつ、上方に湾曲させた筏体との間に空隙を形成して接続される板材を備えて構成されることを特徴とする請求項２または３に記載の水域の落下水音・落下水流減衰構造。
【請求項５】
浮き材を、側部両側に貫通孔を有する柱材により構成し、筏体を、貫通孔を合致させて柱材を横に並べ、これら柱材間にスペーサを配して索条により繋いで構成するとともに、筏体を、柱材の並ぶ方向を落下水流の流れ方向に合致させて水域に配置したことを特徴とする請求項１ないし４のうちいずれか１に記載の水域の落下水音・落下水流減衰構造。
【請求項６】
筏体を、上流側高床部から下流側低床部に落下水流が流入する水路に設置し、筏体の上流側端部を、これら上下流側床部間に形成された段差部上端に固定させて取り付けたことを特徴とする請求項１ないし５のうちいずれか１に記載の水域の落下水音・落下水流減衰構造。
【発明の詳細な説明】
【技術分野】
【０００１】
本発明は、落差工等の流水が落下する部位を有する水路などの水域の落下水音・落下水流減衰構造に関する。
【背景技術】
【０００２】
近年、都市化や農業地域と住宅地域との混在化の伸展に伴い、ゲートや落差工などの水利施設の近くに住宅が増えてきている。このため、水路の落下水音が環境公害と問題となってきている。落下水音には、人が認識できる可聴音と、認識できない低周波音が含まれ、低周波音により障子や窓枠のがたつき等の物理的問題、頭痛や不眠などの精神的問題を誘発することがある。また、落差工では、落下水脈により生じる波が下流に伝播して、下流に設けられた落差工の越流量が変動し、落下水脈が変動して不快感を生じることがある。従来、落下水音に対する対策として、水音の音源に対するものと、発生した音に対するものとの二つが考えられる。音源に対する対策としては、落差工に傾斜面を設け、落下流を斜面流に変えることにより落下水音を低減させることが知られている。また、発生した音に対する対策として、水路を覆うように、蓋を被せることや、吸音機能を備えた板を水路側壁に設置することが知られている。このような従来の水音を減衰させる低減技術のうち、例えば、落差工に傾斜面を設ける構成では、落下水音そのものの低減化は図れるものの、傾斜面を下る落下水流が下流の水面に突入し、突入する場所で水音が発生してしまうという問題がある。このため、傾斜面を直線状にかつ上下流方向寸法を長尺としなければならず、地形的制約がある場所ではこのような技術を採用できないという問題がある。また、蓋や吸音板を設置する場合、音は空気伝播することから、音源の場所にのみ設置しても効果が望めないため、設置区間を長くしなければならず、費用が増大するという問題がある。このため、従来、このような課題を解消するため、落下水脈による水音を低減させる技術として、例えば、落差工の側壁外側にバイパスを設けたものが知られている（特許文献１参照）。
【０００３】
この特許文献１に記載のものは、水路の上流側高床部と下流側低床部との間に傾斜面を形成し、水路側壁の外側に、上流側高床部下流端部と下流側低床部上流端部との間を結ぶバイパス通路を形成し、下流側低床部の側壁内面を凹凸化粧粗面として形成するようにしている。
【特許文献１】特開２００３−１４７７５４号（第３頁、図１）
【発明の開示】
【発明が解決しようとする課題】
【０００４】
しかしながら、上記従来の技術では、落差工自体に施工を施さなければならず、落差工の複雑化を招くだけでなくコストアップを招くという問題がある。
【０００５】
本発明は、上記課題を解決するためになされたもので、簡素な構成で、落下水音と下流部の波立ちを大幅に抑制することができ、しかも、地形的制約にとらわれず施工後の落差工に設置することができ、かつ、構造の小型化をはかり大幅にコストダウンを図ることができる水域の落下水音・落下水流減衰構造を提供することを目的とするものである。
【課題を解決するための手段】
【０００６】
本発明の請求項１に係る水域の落下水音・落下水流減衰構造は、浮力を有する複数の浮き材を並べて互いに相対動可能に接続して筏体を形成し、この筏体には、上下に水の通過を許容する空隙を設けるとともに、水域の、流水が落下する段差部に筏体上流端部を接続して筏体の上面に落下水流を流入させる水域の落下水音・落下水流を減衰させる構造であって、上記筏体の下流側端部とこの下流側端部より下流側の水域底部との間を結び筏体下流側端部の自由な上下動を抑制する拘束手段を設けたものである。
【０００７】
請求項１に係る水域の落下水音・落下水流減衰構造では、浮力を有する複数の浮き材を並べて互いに相対動可能に接続して筏体を形成し、この筏体には、上下に水の通過を許容する空隙を設けるとともに、水域の、流水が落下する段差部に筏体上流端部を接続して筏体の上面に落下水流を流入させる水域の落下水音・落下水流を減衰させる構造であって、上記筏体の下流側端部とこの下流側端部より下流側の水域底部との間を結び筏体下流側端部の自由な上下動を抑制する拘束手段を設けたことにより、水域の落下水流が筏体の上面に流入されると、流入水は、水から受ける力により自在に曲がる筏体の上面に沿って流れ、筏体は浮力により水を押し上げる。このとき、落下水流は筏体の空隙から水流の一部を下方に落下させるとともに、一部が上面に沿って流れる。落下水流は被落下側水面に直接突入することがないので、落下に伴う水音の発生が抑制される。筏体の上流側に、上から受ける水流により自在に曲がって沈み込んだり、浮力による水の押し上げによりくねる動きが生じると、このくねる動きは上流側から下流側に伝播され、下流側端部に伝えられものの、下流側端部は拘束手段により動きが規制されるので、くねる動きは減衰され抑制される。従って、筏体は波打つ動きが抑えられ上下流間でほぼ平坦に保持される。このため、筏体は上下流間距離が短くても、上面に沿って流れる一部の水流は空隙から下方に漏れ出すとともに下流部の波立ちの発生が抑制され、波の音も抑制されるので、筏体の上下流間寸法を短くすることができる。筏体の上下流間長さが短くなることにより筏体上面に流下物が堆積しにくくなる。
【０００８】
本発明の請求項２に係る水域の落下水音・落下水流減衰構造は、筏体の上流端側下に、この上流端側の形状を保持して筏体の上下動の動きを抑制する変動抑制手段を設けたものである。
【０００９】
請求項２に係る水域の落下水音・落下水流減衰構造では、筏体の上流端側下に、この上流端側の形状を保持して筏体の上下動の動きを抑制する変動抑制手段を設けたことにより、水域の落下水流が筏体の上面に流入されると、流入水は、筏体上流端側の上面に沿って塊となって流れて、筏体上流側端部を下方に押し下げようとする一方、筏体は上流端側の形状を保持したまま押し下げ力を受ける。そして、落下水流は、筏体上流端側の上面に沿って流れながら、筏体間の空隙から水流の一部を下方に落下させるとともに、一部が上面に沿って下流側に流れる。このため、落下水流は被落下側水面に直接突入することがないので、落下に伴う水音の発生が抑制される。また、上面に沿って流れる一部の水流は次第に空隙から下方に漏れ出すので下流部の波立ちの発生が抑制され、波の音も抑制される。筏体の上流端側は、浮力が打ち勝つと、水を押し上げて浮き上がり、浮力に勝る落下水流を受けると下方に沈む込む挙動を繰り返すものの、上流端側が一体となって上下動するため、細かい動きや激しい動きが抑制され、上流端側から下流側に伝播される動きが減衰される。このように、拘束手段により下流側端部の自由動を規制し、かつ、変動伝播阻止手段により上流側端部の上下動を抑制したので、確実に下流部の波立ちの発生が抑制され、波の音も抑制され、筏体の上下流間寸法を短くすることができる。筏体の上下流間長さが短くなることにより筏体上面に流下物が堆積しにくくなる。
【００１０】
請求項３に係る水域の落下水音・落下水流減衰構造は、拘束手段は、一端が筏体の下流側端部に連結され、他端が水域底部に固定され、張力を保持する索条を備えて構成されるようにしたものである。
【００１１】
請求項３に係る水域の落下水音・落下水流減衰構造では、拘束手段は、一端が筏体の下流側端部に連結され、他端が水域底部に固定され、張力を保持する索条を備えて構成されるようにしたことにより、設置が容易でコストが低減化される。
【００１２】
請求項４に係る水域の落下水音・落下水流減衰構造は、変動抑制手段は、一端が筏体の上流側端部に接続され、他端が筏体の上流側端部より下流側で、かつ、上方に湾曲させた筏体との間に空隙を形成して接続される板材を備えて構成されるようにしたものである。
【００１３】
請求項４に係る水域の落下水音・落下水流減衰構造では、変動抑制手段は、一端が筏体の上流側端部に接続され、他端が筏体の上流側端部より下流側で、かつ、上方に湾曲させた筏体との間に空隙を形成して接続される板材を備えて構成されるようにしたことにより、落下水流が筏体の上流端側に流れ込むと、筏体の上流端側は湾曲を保持したまま板体と一体に上下動するので、細かい動きや激しい動きが抑制され、上流端側から下流側に伝播される動きが減衰される。
【００１４】
請求項５に係る水域の落下水音・落下水流減衰構造は、浮き材を、側部両側に貫通孔を有する柱材により構成し、筏体を、貫通孔を合致させて柱材を横に並べ、これら柱材間にスペーサを配して索条により繋いで構成するとともに、筏体を、柱材の並ぶ方向を落下水流の流れ方向に合致させて水域に配置したものである。
【００１５】
請求項５に係る水域の落下水音・落下水流減衰構造では、浮き材を、側部両側に貫通孔を有する柱材により構成し、筏体を、貫通孔を合致させて柱材を横に並べ、これら柱材間にスペーサを配して索条により繋いで構成するとともに、筏体を、柱材の並ぶ方向を落下水流の流れ方向に合致させて水域に配置したことにより、水域の落下水流が筏体の上面に流入されると、流入水は、筏体の平坦な上面に沿って流れやすくなり、落下水流の挙動を安定化させる。また、柱材の並ぶ方向を流れ方向に合致させて筏体を設置しているので、流れ方向に発生する水流の動きに合わせて筏体は曲がりくねるので、上面に流入された落下水流は突き当たりがなくなり力が減衰される。
【００１６】
請求項６に係る水域の落下水音・落下水流減衰構造は、筏体を、上流側高床部から下流側低床部に落下水流が流入する水路に設置し、筏体の上流側端部を、これら上下流側床部間に形成された段差部上端に固定させて取り付けたものである。
【００１７】
請求項６に係る水域の落下水音・落下水流減衰構造では、筏体を、上流側高床部から下流側低床部に落下水流が流入する水路に設置し、筏体の上流側端部を、これら上下流側床部間に形成された段差部上端に固定させて取り付けたことにより、上流側高床部側から筏体上流側上面に落下水流が流入すると、上面に沿って下流側に押し流され急激に落下することなく徐々に落下し、その間に空隙部から落下水流が漏れながら流れて波立ちが抑制され、水流が安定化する。
【発明の効果】
【００１８】
本発明に係る水域の落下水音・落下水流減衰構造では、浮力を有する複数の浮き材を並べて互いに相対動可能に接続して筏体を形成し、この筏体には、上下に水の通過を許容する空隙を設けるとともに、水域の、流水が落下する段差部に筏体上流端部を接続して筏体の上面に落下水流を流入させる水域の落下水音・落下水流を減衰させる構造であって、上記筏体の下流側端部とこの下流側端部より下流側の水域底部との間を結び筏体下流側端部の自由な上下動を抑制する拘束手段を設けたので、簡素な構成で、落下水音と下流部の波立ちを大幅に抑制することができ、しかも、地形的制約にとらわれず施工後の落差工に設置することができ、かつ、構造の小型化をはかり大幅にコストダウンを図ることができる。
【発明を実施するための最良の形態】
【００１９】
簡素な構成で水路の落下水音と波を消すという目的を、上面に平坦面が形成された柱材を貫通孔を合致させて横に並べ、柱材間にスペーサを配して索条により繋いで筏体を形成し、この筏体を、上流側高床部から下流側低床部に落下水流が流入する水路に設置するとともに、筏体の上流側端部を、これら上下流側床部間に形成された段差部上端に固定して取り付け、筏体の下流側端部に一端が連結された索条の他端を、下流側端部より下流側の水域の底部に張力を保持して固定し、筏体の上流側端部に一端が接続された板体の他端を、筏体の上流側端部より下流側で、かつ、筏体を上方に湾曲させて筏体との間に空隙を形成して接続することにより実現した。
【実施例１】
【００２０】
以下、図面に示す実施例により本発明を説明する。図１の（Ａ）および（Ｂ）はそれぞれ、本発明の一実施例に係る水域の落下水音・落下水流減衰構造を示す側面図およびその減衰構造の取り付け場所における落下水流の挙動を示す説明図、図２の（Ａ）ないし（Ｃ）はそれぞれ、減衰構造の一部を構成する筏体の側面図、筏体の一部を構成する柱材の正面図および筏体の平面図である。本実施例に係る水域の落下水音・落下水流減衰構造２は、図１の（Ａ）に示すように、上流側高床部３から下流側低床部４に落下水流Ｗ１が流入する水路５とこの水路５に設置された筏体１０とを備えている。水路５には、上流側高床部３下流端と下流側低床部４上流端との間に、ほぼ垂直に立ち上がる段差部６が形成される。筏体１０は、段差部６上部に固定して取り付けられるようになっている。また、図１の（Ｂ）は、上記水路５の段差部６に筏体１０が取り付けられていない状態を比較して示す落下水流の挙動説明図である。筏体１０がない場合、上流側（図１の（Ｂ）の右側）の高床部３から流れてくる流水は、段差部６で急激に落下し落下流水Ｗ１として水の塊となって下流側低床部４の水面に突き当たり、落下水音を発生させる。さらに、落下流水Ｗ１が激しく突き当たる結果、乱流が発生して下流側に波立ちを発生させ、波立ちに伴う波立ち音を発生させる。図１の（Ｂ）における実線Ｗは、流水表面の挙動を示している。
【００２１】
筏体１０は、図２の（Ａ）ないし（Ｃ）に示すように、上面に平坦面１１が形成された角柱材（浮き材、柱材）１３を多数備えて構成される。角柱材１３は、浮力を有する断面四角形状の木材等を水路５の幅に応じて所定の長さ寸法でカットして形成される。角柱材１３は、長手方向両端側の側面に貫通孔１２Ａ、１２Ｂが同一方向に穿設される。筏体１０は、一端に固定具１４が取り付けられた一対のロープ（またはワイヤ、索条）１５Ａ、１５Ｂの他端をそれぞれ、角柱材１３の各貫通孔１２Ａ、１２Ｂに通して、多数の角柱材１３を横方向に繋ぐようになっている。貫通孔１２Ａ、１２Ｂの孔径はロープ１５Ａ、１５Ｂの径より大きくなっており、ロープ１５Ａ、１５Ｂは各貫通孔１２Ａ、１２Ｂ内をスムーズに通るようになっている。
【００２２】
筏体１０を組み立てるには、まず、一体の角柱材１３の各貫通孔１２Ａ、１２Ｂにそれぞれのロープ１５Ａ、１５Ｂの他端を通し、次に、これらロープ１５Ａ、１５Ｂの他端に、ゴム製の環状スペーサ１６を通す。スペーサ１６の内径はロープ１５Ａ、１５Ｂより大径に形成され、ロープ１５Ａ、１５Ｂに遊びを持って通されるようになっている。スペーサ１６の外側は貫通孔１２Ａ、１２Ｂの孔径より大きいサイズとなっている。こうして、角柱材１３とスペーサ１６とを交互にロープ１５Ａ、１５Ｂに通してゆき、角柱材１３の数が、所定の数に達すると、ロープ１５Ａ、１５Ｂの他端を固定具１７で最後の角柱材１３に固定させて、角柱材１３の抜け止めを図り、筏体１０が組み立てられるようになっている。
【００２３】
角柱材１３の数は、予め実験により導き出される。この性能実験では、上記水路６の段差部６での落下水流に対する消音性能および消波性能を発揮できる筏体１０の流れ方向長さ、角柱材１３の大きさ、角柱材１３間の空隙の大きさが導かれるようになっている。すなわち、予め水路５のモデルを作成し、角柱材の数、異なる大きさの角柱材、異なる大きさのスペーサ等を適宜を調整できる筏体１０の試験体を製作し、上記水路６の段差部６での落下水流に対する消音性能および消波性能を発揮できる性能試験を行う。そして、性能試験結果から、一定の大きさの角柱材、一定の幅の空隙を有する筏体について、最も少ない数で所望の性能が得られる角柱材の数が決定される。また、角柱材１３の数により筏体１０の流れ方向長さを決定するだけでなく、予め実験により確認されたデータに基づいて、角柱材１３自体の好ましい大きさ、すなわち、四角形断面の縦横寸法も設定される。このように、筏体１０は、横方向に並べられた多数の角柱材１３が、スペーサ１６を介してロープ１５Ａ、１５Ｂにより繋がれており、隣り合う角柱材１３間には、スペーサ１６により空隙Ｓ１が形成されるようになっている。筏体１０は、水に浮かんだ状態で、角柱材１３が外部からの力を受けるとロープ１５Ａ、１５Ｂの規制を受けて揺れ動くようになっている。つまり、筏体１０の流れ方向のうち異なる部位に異なる方向から力が加えられると、曲がりくねるようになっている。
【００２４】
筏体１０は、ロープ１５Ａ、１５Ｂの両固定具１４が段差部６の上端部６Ａに固定されて取り付けられるようになっている。このため、水路５の段差部６上流側から水が流れてくると、その水流は、筏体１０の上面１０Ａを上流側から下流側に流れ下るようになっている。水に浮かぶ筏体１０は、上方からの圧力が下方からの圧力（浮力）に打ち勝つと、その部位が凹むようになっている。また、筏体１０の上面１０Ａ上を水流が流れると空隙Ｓ１を通じて下方に流れ出るようになっている。
【００２５】
ところで、本実施例に係る水域の落下水音・落下水流減衰構造２では、図１の（Ａ）および図３に示すように、筏体１０の下流端角柱材１３Ｄには、下流側側面２１のほぼ中央にＵ字状金具を備えた接続具２２が、この下流端角柱材１３Ｄより下流側の下流側低床部４には、幅方向のほぼ中央にＵ字状金具を備えた連結具２３がそれぞれ設けられる。これら接続具２２と連結具２３とには、ターンバックル２４を備えた索条（拘束手段）２０の両端２０Ａ、２０Ｂがそれぞれ張力を保持して連結されるようになっている。索条２０は、ターンバックル２４により張力を保持して下流端角柱材１３Ｄと下流側低床部４とを結んでいるので、筏体１０の下流端角柱材１３Ｄが外部から力を受けて上下動しようとしてもその動きを抑制するようになっている。
【００２６】
筏体１０には、図１の（Ａ）および図４に示すように、上流側の裏面には、板体３０（変動抑制手段）が取り付けられる。板体３０は、上流側端部３１Ａが筏体１０の上流端角柱材１３Ｕに接続金具３２を介して接続され、下流側端部３１Ｂが筏体１０の上流端角柱材１３Ｕより下流側の角柱材１３Ｍに接続金具３２を介して接続される。板体３０は、図２の（Ａ）に示すように、上流端側の角柱材１３を上方に湾曲させて筏体１０に接続されるようになっており、筏体１０の上流側湾曲部３３との間に空隙Ｓ２が形成される。板体３０は、このように筏体１０との間に空隙Ｓ２が形成され、筏体１０の上流側湾曲部３３と一体に動くようになっているので、筏体１０の上流端側の上流側湾曲部３３の形状を保持して筏体１０の上下動の動きを抑制するようになっている。
【００２７】
次に、上記実施例に係る水域の落下水音・落下水流減衰構造２の作用について説明する。上記実施例に係る水域の落下水音・落下水流減衰構造２では、水路５の段差部６上端部６Ａに筏体１０の上流端角柱材１３Ｕが両固定具１４を介して取り付けられ、下流端角柱材１３Ｄが索条２０を介して引っ張られた状態で下流側低床部４に連結され、しかも、筏体１０の上流端側裏面には、筏体１０と一体動する板体１０が取り付けられている。
【００２８】
このため、上流側高床部３を流れる水流が段差部６に達すると、流れ落ちようとして筏体１０の湾曲部３３の上面１０Ａに流れ込む。この落下水流Ｗ１は、直接下流側低床部４の水面に達する前に筏体１０によりブロックされて、上面１０Ａに沿って流れ下る。このとき、落下水流Ｗ１は上流側高床部３の水位を維持したまま上面１０Ａに達するので、落下水流Ｗ１が水の塊となって筏体１０の湾曲部３３に下方への圧力を加え、沈み込ませようとする力が働く一方、筏体１０の湾曲部３３と板体３０とは浮力により塊となった落下水流Ｗ１に対し押し上げようとする力を与える。このため、図１の（Ａ）に示すように筏体１０は、上流端から緩やかな曲面Ｆｃを描く。塊となった落下水流Ｗ１は、筏体１０の上面１０Ａの上流側湾曲部３３の曲面Ｆｃ部分を流れ下るうちに、空隙部Ｓ１から筏体１０を通過して下方に流れ落ち、上面１０Ａを流れ下る水量が減少してゆく。このとき、筏体１０の上流端側湾曲部３３は、浮力が打ち勝つと、水を押し上げて浮き上がり、浮力に勝る落下水流Ｗ１を受けると下方に沈む込む挙動を繰り返すものの、上流端側湾曲部３３と板体３０とが一体となって上下動するため、細かい動きや激しい動きが抑制され、上流端側から下流側に至る短い区間で伝播される動きが減衰される。このため、筏体１０の上下流端部間の寸法を短くすることができ、筏体を小型化することができる。
【００２９】
そして、落下水流Ｗ１は、曲面Ｆｃの通過に伴って水量を減らすとともに、この曲面Ｆｃでは、水路幅方向の空隙Ｓ１が多数並んでいるため、曲面Ｆｃの終端Ｆｅに達すると、落下の運動エネルギーが低下している。このように、落下水流Ｗ１は、筏体１０の曲面Ｆｃの通過に伴って力が吸収されて減衰されてしまい、図１の（Ｂ）に示すように下流水面に突入することがない。このため、落下水音の発生が抑えられる。こうして、水量が減少し落下の運動エネルギーが低下した落下水流Ｗ２は、さらに、上面１０Ａの下流側平坦面Ｆｆに導かれその上を流れ下る。落下水流Ｗ２は、上面１０Ａの下流側平坦面Ｆｆを流れ下る間にも、筏体１０の浮力により持ち上げられる力が働いて空隙Ｓ１から筏体１０を通過して下方に流れ落ち、上面１０Ａを流れ下る水量が減少してゆく。このとき、筏体１０の上流端側湾曲部３３に緩やかな上下動が生じると、この上下動のくねる動きは下流側に伝播し、筏体１０の下流端角柱材１３Ｄに伝えられる。ところが、下流端角柱材１３Ｄは索条２０により動きが規制されるので、動きは減衰され抑制される。このため、たとえ、上流端側湾曲部３３に上下動が生じても、筏体１０は上流端側から下流側に至る短い区間で波打つ動きが抑えられ上下流間でほぼ平坦に保持される。従って、乱流が生じることがなく波立ちの発生がないことに加え、筏体１０の上下流端部間の寸法を短くすることができ、筏体を小型化することができる。すなわち、筏体１０がない水路５の場合、段差部６では、水流は落下に伴う挙動の乱れで波立ちが発生するのに対し、本実施例では、流れ方向寸法の短い筏体であっても、このような波立ちの発生がなく、波の音の発生もない。このように本実施例に係る水域の落下水音・落下水流減衰構造２では、上流側の落下水流Ｗ１が段差部６に達すると、筏体１０により緩衝作用を受けるとともに水量を失ってゆき、落下の運動エネルギーが削がれて筏体１０の上面１０Ａに沿って滑らかに流れ下るので、落下水音や波立ち音の発生がない。
【００３０】
上述のように、本実施例に係る水域の落下水音・落下水流減衰構造２では、板体３０を備えているため、例えば、板体３０がない筏体の場合、落差工の段差が大きいと、上流側高床部３からの水流は筏体上面に沿うことなく、ジャンプしてしまうので落下音の発生を招くのに対し、板体３０の存在により、上流側高床部３からの水流は必ず筏体１０の上面に沿って流れ下ることになる。また、索条２０がないと、筏体は上流側高床部３からジャンプした水流により筏体が水流の落下地点に引き寄せられ、水路５の床４に対して凸の形状となり、落下地点で落下音の発生を招くのに対し、索条２０の存在により、筏体３０の一部に力が加わっても下流側が常に引っ張られているので、大きく凹んでしまうことがない。このように、本実施例に係る水域の落下水音・落下水流減衰構造２では、落差工の落差が大きい場合にも有効である。
【００３１】
なお、上記実施例では、筏体１０に、索条２０と板体３０との両方を設けるようにしているがこれに限られるものではなく、どちらか一方のみを設けるようにしてもよいことはいうまでもない。さらに、角柱材を多数横に並べて形成しているがこれに限られるものではなく、ブロック状の浮き材を面状に並べ縦横方向にスペーサを介して索条により繋ぐようにしてもよい。また、上記実施例では。角柱材１３間にスペーサ１６により下方への水の通過を許容する空隙Ｓ１を設けているがこれに限られるものではなく、浮き材自体に下方への水の通過を許容する孔を設けるようにしてもよい。さらに、上記実施例では、落差工の段差部６の上端に、筏体１０の上流側端部を固定するようにしているがこれに限られるものではなく、例えば、段差部６が傾斜している場合など、水の挙動に応じて段差部６の上下の位置を決定してもよいことはいうまでない。また、上記実施例では、落差工に筏体１０を設置するようにしているがこれに限られるものではなく、河川や湖沼等において自然に形成された落差のある地形の場所に設置するようにしてもよい。さらに、工場や施設などにおいて水を落下させる場所や、ゲートに設置するようにしてもよい。また、上記実施例では、角柱材１３をロープ１５Ａ、１５Ｂにより繋ぐようにしているがこれに限られるものではなく、角柱材間に連結具を設け、隣り合う角柱材を互いに揺動自在に連結するようにしてもよい。さらに、上記実施例では、筏体１０の浮き材として上面が平坦に形成された断面四角形の角柱材１３を用いているがこれに限られるものではなく、断面円形の丸材や、断面楕円形、断面半円形、断面三角形、断面多角形の木材であってもよいことはいうまでもない。また、筏体１０の上面１０Ａのうち上流側の面を落下水流を減衰させるような形状に形成してもよいし、あるいは、その上流側面の空隙を下流側の空隙より大きくし、水流の減少を増大させるようにしてもよい。また、上記実施例では、浮き材を木材で構成しているがこれに限られるものではなく、所定の強度を有し、浮力があるものであればよく、合成樹脂からなる材料であってもよい。さらに、上記実施例では、角柱材１３に貫通孔１２Ａ、１２Ｂを設けるようにしているがこれに限られるものではなく、貫通孔１２Ａ、１２Ｂに代えて角柱材の上下面のうち少なくともいずれか一方に環状金具を螺装して、ロープを通すようにし、角柱材側壁には、弾性部材（緩衝部材）を取り付けて角柱材間に空隙を形成するようにしてもよい。また、貫通孔１２Ａ、１２Ｂに代えて、角柱材の両側に溝を形成し、この溝にロープを巻き付けて縛るようにしてもよい。さらに、上記実施例では、角柱材１３を同じ水路幅方向長さとしているがこれに限られるものではなく、下流側に行くに従って徐々に水路幅方向長さを短くし、左右両端から水を筏体の下方に流れやすくするようにしてもよい。また、上記実施例では、索条２０を水路５のほぼ中央に一本も設けるようにしているが、これに限られるものではなく、水路５の両側壁側にそれぞれ配し、２本設けるようにしてもよい。
【図面の簡単な説明】
【００３２】
【図１】（Ａ）、（Ｂ）はそれぞれ、本発明の一実施例に係る水域の落下水音・落下水流減衰構造を示す側面図およびその減衰構造の取り付け場所における落下水流の挙動を示す説明図である。（実施例１）
【図２】（Ａ）ないし（Ｃ）はそれぞれ、図１の減衰構造の一部を構成する筏体の側面図、筏体の一部を構成する柱材の正面図および筏体の平面図である。
【図３】図１の減衰構造の索条の取り付け状態を示す斜視図である。
【図４】図１の減衰構造の板体を示す説明図である。
【符号の説明】
【００３３】
２  水域の落下水音・落下水流減衰構造
４  下流側低床部（水域底部）
１０  筏体
１０Ａ  筏体の上面
１３  角柱材（浮き材）
１３Ｄ  下流端角柱材（筏体の下流側端部）
２０  索条（拘束手段）
３０  板体（変動抑制手段）
３３  湾曲部（筏体の上流端側）
Ｓ１  空隙
Ｗ１  落下水流
【図１】
0005092832.tif 000002
【図２】
0005092832.tif 000003
【図３】
0005092832.tif 000004
【図４】
0005092832.tif 000005